(57)【要約】      （修正有）【課題】絶縁性媒体のより以上の破損を防ぐとともに、新しい絶縁性媒体への交換を促して常に最良な状態でマグネットダンパーを使用することが出来るとともに、早期のメンテナンスが督促される、絶縁性媒体の破損検出機能を備えるマグネットダンパーを提供する。【解決手段】導電性のマグネット３と導電性の強磁性体２とを相互の接触、非接触を識別する判定回路５に接続して通電状態により相互の接触状態を検出することにより、導電性のマグネット３と導電性の強磁性体２との間の絶縁性媒体１の破損を検出、表示する。【選択図】図１
0003203060.tif 000002
【実用新案登録請求の範囲】
【請求項１】
導電性のマグネットまたは導電性の強磁性体に被覆した絶縁性媒体を介して、導電性のマグネットまたは導電性の強磁性体を接触移動させて、マグネットの磁力による吸引作用により相互の移動を規制するマグネットダンパーに関して、導電性のマグネットと導電性の強磁性体との通電状態を判定回路により検出することにより絶縁性媒体の破損を検出する機能を備えるマグネットダンパー。
【請求項２】
導電性のマグネットまたは導電性の強磁性体に被覆した絶縁性媒体を介して、導電性のマグネットまたは導電性の強磁性体を接触移動させて、マグネットの磁力による吸引作用により相互の移動を規制するマグネットダンパーに関して、複数個の導電性のマグネットにより所要の磁力を得る、請求項１に記載する、絶縁性媒体の破損を検出する機能を備えるマグネットダンパー。
【考案の詳細な説明】
【技術分野】
【０００１】導電性のマグネットまたは導電性の強磁性体に被覆した絶縁性媒体を介して、導電性のマグネットまたは導電性の強磁性体を接触移動させるマグネットダンパーに関して、導電性のマグネットと導電性の強磁性体とを通電の有無により相互の接触、非接触状態を検出する判定回路に接続することにより絶縁性媒体の破損を検出する。
【背景技術】
【０００２】蓋や扉などの開閉を規制するヒンジなどに利用されるダンパー構造に関しては、広角な開閉、小型構造、開閉力調節の容易さなどを実現するためにはマグネットダンパーが最も相応しいが、マグネットと強磁性体との間に磨耗対策として挿入される媒体の磨耗状態が殆ど管理されていないため、マグネットダンパーより、エア、オイル、バネなどで構成するダンパーが広く普及している。
【考案が解決しようとする課題】
【０００３】マグネットと強磁性体とを直接接触させると磨耗、傷などが生ずるため、間に磨耗対策のための媒体を挟む構造がとられるが、媒体はマグネットまたは強磁性体との接触擦りにより磨耗して、限界を超えるとマグネットと強磁性体が直接擦り合うことによる磨耗、傷が発生して擦り音などを生ずる課題を有しているが、マグネットと強磁性体との接触に対する適切な管理方法がない。
【課題を解決するための手段】
【０００４】導電性のマグネットと導電性の強磁性体とを相互の接触、非接触を識別する判定回路に接続して通電状態により接触状態を検出することにより、導電性のマグネットと導電性の強磁性体との間の絶縁性媒体の破損を検出、表示する。
【考案の効果】
【０００５】導電性のマグネットと導電性の強磁性体とを相互の接触、非接触を通電状態により検出する判定回路により、導電性のマグネットと導電性の強磁性体との間に配置される絶縁性媒体に破損が起こった場合に速やかに検出、表示することにより、絶縁性媒体のより以上の破損を防ぐとともに、新しい絶縁性媒体への交換を促して常に最良な状態でマグネットダンパーを使用することが出来るとともに、早期のメンテナンスが督促される。
【考案を実施するための形態】
【０００６】図１に絶縁性媒体１，導電性の強磁性体２，導電性のマグネット３，通電を検出する判定回路５を示す。導電性の強磁性体２には絶縁性媒体１が被覆されており、絶縁性媒体を介して導電性マグネット３に磁力で吸引されて矢印４の方向に接触移動する。この接触移動摩擦によって絶縁性媒体はマグネットに擦られて磨耗し、磨耗限界を超えると絶縁性媒体が破損して導電性のマグネットと導電性の強磁性体が接触する。この接触を検出して絶縁性媒体が破損したことを検出し、さらに磨耗の進行により導電性のマグネットと導電性の強磁性体が相互に傷を付けて異音を生じたり、使用不能となることを早期に警告する。
【０００７】導電性のマグネットと導電性の強磁性体との接触はそれぞれを判定回路５に接続して通電状態を「通電」＝「相互の接触」と判定してＬＥＤ８を点灯する。６は通電抵抗器、７はＬＥＤ電流制限抵抗器である。導電性のマグネットと導電性の強磁性体とが絶縁性媒体を介して接触している状態では相互の通電は無いが、絶縁性媒体の損傷により接触が生じた場合は相互に通電される。導電性のマグネットの代表例は図２に示すキャツプマグネットであり、キャツプ部は導電性金属で形成され、９は金属キャツプ、１０はマグネット、１１は取り付け穴を示す。また、導電性のマグネットとしては、キャツプの無いマグネットの表面に導電メッキした構成でも良い。図３はマグネットキャツプ９，マグネット１０に直接絶縁性媒体１２を被覆した状態を示し、この場合は導電性の強磁性体に絶縁性媒体を被覆する必要は無い。
【０００８】図４は導電性の強磁性体１３に絶縁性媒体を直接被覆した導電性のマグネット１４でマグネットダンパーを構成し、箱１６，蓋１５に組み付けた状態を示し、導電性のマグネットは導電性の強磁性体の面をスライドするため、蓋はマグネットで規制されて緩やかな開閉が行われる。マグネットの磁力を選択することにより蓋の開閉の緩やかさや、任意の位置で止めることも出来るなど優れた開閉ダンパーが実現する。また、マグネットの磁力が強いほど絶縁性媒体とマグネット、または強磁性体との摩擦力が増えて磨耗が加速するため、請求項２に記載するように、弱い磁力のマグネットを複数個使用して合計で所要の磁力を得る構成が望ましい。このようにして、従来は磨耗判定手段が確立されていなかったため、マグネットダンパーの普及が妨げられていた傾向があったが、本考案によりこの課題は解決されてマグネットダンパーの本格的な普及が加速するものと思われる。
【実施例】
【０００９】図１に示すマグネットダンパーは、導電性の強磁性体２は厚さ１．５ｍｍのＳＵＳ４３０、絶縁性媒体１は０．３ｍｍ厚のファイバー粒添加の耐磨耗性テフロンシートで、導電性の強磁性体２は絶縁性媒体で被覆されている。導電性のマグネット３はキャツプタイプのネオジゥム磁石２個で構成し合計の吸引力は２Ｋｇ、キャツプは鉄に錫メッキ処理したものを採用している。図４に具体的な利用例を示すが、導電性の強磁性体１３と導電性のマグネット１４で構成されるマグネットダンパーは１Ｋｇの蓋１５を緩やかに開閉することが出来る。また、絶縁性媒体としては、樹脂材やアルミなどの非強磁性体金属、マグネットとしてはフェライト、導電性の強磁性体としては鉄にメッキ処理した物も使用可能であるなど、各種形状、ディメンジョン、材質などに関しては、本考案の趣旨を逸脱しない範囲であれば変形実施が可能である。
【図面の簡単な説明】
【００１０】
【図１】本考案によるマグネットダンパーの構成概念図を示す
【図２】キャツプマグネットの概念図を示す
【図３】キャツプマグネットに絶縁性媒体を被覆した概念図を示す
【図４】本考案のマグネットダンパーを蓋に取り付けた開閉構造の概念図を示す
【符号の説明】  １  絶縁性媒体                  ９  キャツプ
２  導電性の強磁性体          １０  マグネット
３  導電性のマグネット        １１  取り付け穴
４  スライド方向を示す        １２  絶縁性媒体
５  導通判定回路              １３  導電性の強磁性体
６  通電抵抗器                １４  導電性のマグネット
７  電流制限抵抗器            １５  蓋
８  ＬＥＤ                    １６  箱
【図１】
0003203060.tif 000003
【図２】
0003203060.tif 000004
【図３】
0003203060.tif 000005
【図４】
0003203060.tif 000006